(57)【要約】      （修正有）【課題】周知の老人歩行器の骨組がもつ、折畳の不便さという欠点を解決する。【解決手段】折畳可能な骨組１０、及び駆動枠３と操作ユニット４によって構成された片手解放装置を含む、老人歩行器の片手折畳装置であり、折畳可能な骨組は、主に片手解放装置の駆動枠を移動させることによって折り畳むことができ、駆動枠に装備された操作ユニットによって駆動枠と折畳可能な骨組との間の固定と解放を制御し、操作者が片手で操作ユニットと駆動枠を操作して、便利に折畳可能な骨組を折り畳むことができる。【選択図】図１
0003106179.tif 000002
【実用新案登録請求の範囲】
【請求項１】
少なくとも1つの位置決め部をもつ折畳骨組、折畳骨組を推して折畳状態を形成することができる駆動枠、駆動枠内にあり、移動時には折畳骨組の位置決め部に入り駆動枠が移動しないようにする押さえの作用を生み出し、位置決め部を離れた時には押さえを解除する作用を生み出すことができる1対の留め具、及びその留め具と接触し、外的な力を受けて引き動かしたり移動したりする時に、その留め具を動かすと同時に反対方向に移動して、片手で留めたり片手で解除したりする効果を生み出すことができる1組の連動部品を含む、片手で老人歩行器の折畳骨組の対応する移動位置を留めたり解除したりするための老人歩行器の片手折畳装置。
【請求項２】
請求項１で述べた老人歩行器の片手折畳装置に基づき、そのうち、その折畳骨組が主に前支え枠、後支え枠、手押し枠、折畳ユニット、座椅子、脇手摺及び脇連結棒によって相互につなげられ、可動式に展開及び折畳できる骨組であるもの。
【請求項３】
請求項１で述べた老人歩行器の片手折畳装置に基づき、そのうち、その位置決め部がその折畳可能な骨組の脇連結棒の上に設置されているもの。
【請求項４】
請求項１で述べた老人歩行器の片手折畳装置に基づき、そのうち、その位置決め部がその折畳可能な骨組の手押し枠の上に設置されているもの。
【請求項５】
請求項１で述べた老人歩行器の片手折畳装置に基づき、そのうち、その位置決め部が溝穴であるもの。
【請求項６】
請求項１で述べた老人歩行器の片手折畳装置に基づき、そのうち、その留め具が1対のばねによって、位置決め部を押さえた状態にしているもの。
【考案の詳細な説明】
【技術分野】
【０００１】
本考案は老人歩行器の片手折畳装置であり、その主な技術内容は、操作者が片手で片手解放装置を操作して骨組を折り畳むようにできるようにするための、片手解放装置と骨組の固定と解放によって老人歩行器を制御して展開状態及び折畳状態にする老人歩行器の骨組に関するものであり、その片手解放装置には、駆動枠及び操作ユニットが含まれる。
【背景技術】
【０００２】
社会構造の変化により、人口構造が老化現象を呈しているため、高齢者専用に設計され使用されている製品は枚挙にいとまがない。老人歩行器もそれらの一つである。 
老人歩行器の主な機能は、高齢者は行動が不便で、一定時間歩くと疲れやすいため、歩行器を歩きながら押すことによって、老人を支え、倒れないようにすると同時に、老人歩行器の骨組構造に座席部を設置し、老人が疲れた時に座れるようにしたものである。老人歩行器を使用しない時には収納して置いておくことができるように、老人歩行器の骨組は一般的に折り畳むことができる。
【考案の開示】
【考案が解決しようとする課題】
【０００３】
しかし、一般的な老人歩行器の骨組を収納する際には、両手を使用して操作しなければならず、老人歩行器の使用対象の行動力は、一般人のように敏捷ではないため、骨組を折り畳む際に、両手を使用して折畳操作をすることは、骨組の折畳時に不便である。
【０００４】
そのため、考案者は上述の周知の老人歩行器の骨組がもつ、折畳の不便さという欠点を解決した。 
【課題を解決するための手段】
【０００５】
本考案には、折畳可能な骨組、及び駆動枠と操作ユニットを含む片手解放装置が含まれ、そのうちその駆動枠は移動しながらその折畳骨組上に装備することができ、駆動枠の固定と移動によって、この折畳骨組を制御し、展開状態及び折畳状態を呈するようにする。この操作ユニットには、1対の留め具があり、この留め具と折畳可能な骨組の押さえによって、この折畳可能な骨組の展開状態を維持し、またこの留め具は、1個または片手で操作することができる1対の連動部品によって、同時にこの留め具が折畳可能な骨組の制限から外れるようにし、駆動枠を移動させてこの骨組を折り畳めるようにする。 
【考案の効果】
【０００６】
本考案では、片手の使用のみで、操作ユニットを操作し、駆動枠を移動させることができるため、老人にさらに便利な折畳方式を提供する効果がある。 
【考案を実施するための最良の形態】
【０００７】
本考案は、老人歩行器の片手折畳装置であり、主に行動が不便な老人が老人歩行器の骨組を折り畳む時に、片手を使用して簡単に折り畳むことができる。 
（実施例１）
図１〜図４に示すように、本考案には、折畳骨組10が含まれる。それには前支え枠11、後支え枠12、手押し枠13、折畳ユニット14、座椅子15、前、後輪ユニット16、17及び横支え枠18が含まれる。そのうちその前支え枠11は、後支え枠12とつながり、前、後支え枠11、12の末端で前、後輪ユニット16、17につながり、その折畳ユニット14は前、後支え枠11、12の間につながり、この折畳ユニット14は回転軸141によってV字型に折り畳むことができるため、これによって前、後支え枠11、12を中央に向けてまとめることができる。この手押し枠13は、主に老人が折畳骨組10を押すためのもので、この手押し枠13は、接続台2によって前支え枠11につながり、この手押し枠13の末端は後支え枠12につながり、またこの手押し枠13には位置決め部131があり、本実施例でのこの位置決め部131は溝穴である。この横支え枠18は、横向きに2つの後支え枠12の間をつなぐ。 
また、片手解放装置20には、駆動枠3及び操作ユニット4があり、そのうち駆動枠3は、接続台2につながっており、この駆動枠3はこの接続台2を手押し枠13上で移動させることができ、これによって前、後支え枠11、12を動かして相互にまとめて折り畳むことができる（図５に示した通り）。 
操作ユニット4には、本体41、連動部品42、1対の留め具43が含まれ、折畳骨組10が展開状態の時に、この留め具43は、ばね44によって手押し枠13の位置決め部131に引っかかって位置決めし、この駆動枠3を固定して移動できないようにし、これによって折畳骨組10の展開状態を維持し、解放する時には、この連動部品42を操作し、この連動部品42によって同時に留め具43を動かして手押し枠13の位置決め部131から外し、この駆動枠3を滑らせて折畳骨組10を折り畳むことができる。
【０００８】
（実施例２）
図６〜図８に示すように、本考案には、折畳骨組50が含まれる。それには前支え枠51、後支え枠52、手押し枠53、折畳ユニット54、座椅子55、前、後輪ユニット56、57、脇手摺58及び脇連結棒59が含まれる。そのうちその脇手摺58は脇連結棒59につながり、脇連結棒59から手押し枠53につながり、この前支え枠51は延伸片60で脇手摺58とつながり、後支え枠52の上端は脇手摺58につながり、その前、後支え枠51、52の末端はそれぞれ前、後輪ユニット56、57につながり、この折畳ユニット54は前、後支え枠51、52の間につながり、この折畳ユニット54は回転軸541によってV字型に折り畳むことができるため、これによってこの前、後支え枠51、52を中央に向けてまとめることができる。この手押し枠53は主に老人が折畳骨組50を押すためのもので、この手押し枠53は、それぞれ脇連結棒59と後支え枠52につながる。前述の各構造物のつながりによって展開及び折畳可能な可動骨組を構成する。また、この脇連結棒59には位置決め部品591があり、この位置決め部品には位置決め部592が設置され、本実施例での位置決め部592は溝穴である。 
また、片手解放装置70には、駆動枠8及び操作ユニット9があり、そのうち駆動枠7は、2つの脇手摺58の間につながり、操作者はこの駆動枠7を引っ張ることによって折畳骨組50を連動させ折畳状態にすることができる（図９に示す通り）。 
図７、図８に示す通り、操作ユニット9には、1対の連動部品92、1対の留め具93があり、折畳骨組50が展開状態の時に、この留め具93は、ばね94によって脇連結棒59の位置決め部591に引っかかって位置決めし、この脇連結棒59をそれぞれ脇手摺58、手押し枠53とつなぐだけでなく、留め具93の制限を受け、3点が動かなくなり、これによって折畳骨組50の展開状態を維持し、解放する時には、この連動部品92を操作し、この連動部品92のよって同時に留め具93を動かして脇連結棒59の位置決め部591から外し、操作者がこの駆動枠7を持ち上げることによって、各棒部品の動きを引っ張り、折畳骨組50を折り畳むことができる。
【産業上の利用可能性】
【０００９】
この発明は、老人歩行器の骨組がもつ、折畳の不便さという欠点を解決した老人歩行器の片手折畳装置に適している。
【図面の簡単な説明】
【００１０】
【図１】本考案の骨組の側視見取図。実施例1
【図２】本考案の骨組の後側見取図。実施例1
【図３】本考案の片手操作構造の透視見取図。実施例1
【図４】本考案の片手操作動作見取図。実施例1
【図５】本考案の骨組折畳後の見取図。実施例1
【図６】本考案の骨組の側視見取図。実施例2
【図７】本考案の片手操作構造の断面見取図。実施例2
【図８】本考案の片手操作構造の動作見取図。実施例2
【図９】本考案の骨組折畳後の見取図。実施例2
【符号の説明】
【００１１】
2… 接続台
3… 駆動枠
4… 操作ユニット
7… 駆動枠
10… 折畳骨組
11… 前支え枠
12… 後支え枠
13… 手押し枠
14… 折畳ユニット
15… 座椅子
16… 前輪ユニット
17… 後輪ユニット
18… 横支え枠
20… 片手解放装置
41… 本体
42… 連動部品
43… 留め具
44… ばね
131… 位置決め部
141… 回転軸  
9… 操作ユニット
50… 折畳骨組
51… 前支え枠
52… 後支え枠
53… 手押し枠
54… 折畳ユニット
55… 座椅子
56… 前輪ユニット
57… 後輪ユニット
58… 脇手摺
59… 脇連結棒
60… 延伸片
92… 連動部品
93… 留め具
94… ばね
541… 回転軸
591… 位置決め部品
592… 位置決め部
【図１】
0003106179.tif 000003
【図２】
0003106179.tif 000004
【図３】
0003106179.tif 000005
【図４】
0003106179.tif 000006
【図５】
0003106179.tif 000007
【図６】
0003106179.tif 000008
【図７】
0003106179.tif 000009
【図８】
0003106179.tif 000010
【図９】
0003106179.tif 000011